(57)【要約】【課題】色調や透明度を適宜調節設定して装飾効果を高めることができると共に、ガラス板等の透明板に貼着した時、装飾シート側と透明板面側から見た外観が近似し、且つ、製造のコストダウンが図れる装飾シートを提供する。【解決手段】透明シート２と、透明シート２の片面に、一部又は全面が所定の透明度を保持して装飾印刷された第１印刷層３と、第１印刷層３の表面に、所定の透明度を保持しつつ所定の色に着色印刷された着色層４と、着色層４の表面に一部又は全面が所定の透明度を保持して装飾印刷された第２印刷層５とを備えた装飾シート１を提供する。【選択図】図１
2008087153.tif 000002
【特許請求の範囲】
【請求項１】
透明シートと、前記透明シートの片面に、一部又は全面が所定の透明度を保持して装飾印刷された第１印刷層と、前記第１印刷層の表面に、選択された所定の透明度を保持しつつ選択された所定の色に着色印刷された着色層と、前記着色層の表面に一部又は全面が所定の透明度を保持して装飾印刷された第２印刷層とを備えたことを特徴とする装飾シート。
【請求項２】
前記第１印刷層と前記第２印刷層とは同一模様に印刷されていることを特徴とする請求項１記載の装飾シート。
【請求項３】
選択された所定の透明度を保持しつつ選択された所定の色に着色された着色シートと、前記着色シートの片面に、一部又は全面が所定の透明度を保持して装飾印刷された第３印刷層と、前記着色シートの他面に一部又は全面が所定の透明度を保持して装飾印刷された第４印刷層と、前記第３印刷層に片面が貼着される透明シートとを備えたことを特徴とする装飾シート。
【請求項４】
前記第３印刷層と前記第４印刷層とは左右対称の模様に印刷されていることを特徴とする請求項３記載の装飾シート。
【請求項５】
前記透明シートの他面にハードコート層を備えることを特徴とする請求項１乃至４のうちいずれか一に記載の装飾シート。
【請求項６】
前記第１乃至４印刷層は木目調又は石目調に印刷されることを特徴とする請求項１乃至５のうちいずれか一に記載の装飾シート。
【請求項７】
前記第２印刷層、又は、第４印刷層の表面に粘着層が設けられることを特徴とする請求項１乃至６のうちいずれか一に記載の装飾シート。
【請求項８】
前記第２又は第４印刷層上に透明保護膜をコーティングしたことを特徴とする請求項１乃至６のうちいずれか一に記載の装飾シート。
【請求項９】
請求項１乃至７のいずれか一に記載の装飾シートの片面又は両面が前記粘着層、他の接着層、及び／又は、融着シートを介して透明板に貼着されていることを特徴とする装飾シートの施工構造。
【請求項１０】
請求項８記載の装飾シートの片面又は両面が、融着シートを介して透明板に融着されていることを特徴とする装飾シートの施工構造。
【発明の詳細な説明】
【技術分野】
【０００１】
本発明は、装飾フィルム及びその施工構造に関し、特に、木目調又は石目調等の装飾模様が施された装飾シートであって、パーティション、間仕切り又はドア等、ガラス等の透明板に貼付して装飾効果を高めることができる装飾フィルム及びその施工構造に関する。
【背景技術】
【０００２】
木目調又は石目調の印刷等が施された木目調又は石目調装飾シートは装飾デザイン効果が高く、例えば、合板等に貼付されて化粧板として利用され、又は、壁に貼付して化粧壁として利用され、或いは、家具等に貼付して利用される等、種々の用途に利用されている。
【０００３】
この木目調又は石目調印刷シートは、従来、表面のみに木目調又は石目調印刷が施され、印刷が施されない裏面に接着剤或いは粘着材を塗布又は貼付して他の材料に貼着される場合が多い。
然しながら、この木目調又は石目調印刷シートは、貼着する他の材料が透明性の高いものである場合、他の材料の裏面から木目調又は石目調印刷シートの印刷されていない裏面が見えてしまうため、装飾性を低下させる虞があった。
【０００４】
そこで、本願出願人は既に出願済みの特許文献１に於いて、合成樹脂シートの両面に印刷層を夫々形成し、いずれか一方の印刷層表面に透明な粘着剤を塗布して粘着剤層を形成した印刷シートを提案している。
特許文献１の印刷シートは、ガラス板等の透明板に貼着した時、印刷シート側、透明板面側の何れからも印刷の柄が見えるため、パーティション等に利用出来る等、装飾効果が極めて高いものである。
【特許文献１】実用新案登録第３１０４４４１号公報
【発明の開示】
【発明が解決しようとする課題】
【０００５】
前述したように、特許文献１の印刷シートは、ガラス板等の透明板に貼着した時、印刷シート側、透明板面側の何れからも印刷が見えるため装飾効果が極めて高いものであるが、特許文献１の印刷シートの装飾効果を更に高めることが望まれている。
又、印刷シートの製造に於けるコストダウンを図ることも期待されている。
【０００６】
以上の現状に鑑み、本発明は、色調や透明度を適宜調節設定して装飾効果を高めることができると共に、ガラス板等の透明板に貼着した時、装飾シート側と透明板面側から見た外観が近似し、且つ、製造のコストダウンが図れる装飾シート及びその施工構造を提供することを目的とする。
【課題を解決するための手段】
【０００７】
上記の課題を解決すべく、本発明は以下の構成を提供する。
請求項１に係る発明は、透明シートと、前記透明シートの片面に、一部又は全面が所定の透明度を保持して装飾印刷された第１印刷層と、前記第１印刷層の表面に、選択された所定の透明度を保持しつつ選択された所定の色に着色印刷された着色層と、前記着色層の表面に一部又は全面が所定の透明度を保持して装飾印刷された第２印刷層とを備えたことを特徴とする装飾シートを提供するものである。
【０００８】
請求項２に係る発明は、前記第１印刷層と前記第２印刷層とは同一模様に印刷されていることを特徴とする請求項１記載の装飾シートを提供するものである。
【０００９】
請求項３に係る発明は、選択された所定の透明度を保持しつつ選択された所定の色に着色された着色シートと、前記着色シートの片面に、一部又は全面が所定の透明度を保持して装飾印刷された第３印刷層と、前記着色シートの他面に一部又は全面が所定の透明度を保持して装飾印刷された第４印刷層と、前記第３印刷層に片面が貼着される透明シートとを備えたことを特徴とする装飾シートを提供するものである。
【００１０】
請求項４に係る発明は、前記第３印刷層と前記第４印刷層とは左右対称の模様に印刷されていることを特徴とする請求項３記載の装飾シートを提供するものである。
【００１１】
請求項５に係る発明は、前記透明シートの他面にハードコート層を備えることを特徴とする請求項１乃至４のうちいずれか一に記載の装飾シートを提供するものである。
【００１２】
請求項６に係る発明は、前記第１乃至４印刷層は木目調又は石目調に印刷されることを特徴とする請求項１乃至５のうちいずれか一に記載の装飾シートを提供するものである。
【００１３】
請求項７に係る発明は、前記第２印刷層、又は、第４印刷層の表面に粘着層が設けられることを特徴とする請求項１乃至６のうちいずれか一に記載の装飾シートを提供するものである。
【００１４】
請求項８に係る発明は、前記第２又は第４印刷層上に透明保護膜をコーティングしたことを特徴とする請求項１乃至６のうちいずれか一に記載の装飾シートを提供するものである。
【００１５】
請求項９に係る発明は、請求項１乃至７のいずれか一に記載の装飾シートの片面又は両面が前記粘着層、他の接着層、及び／又は、融着シートを介して透明板に貼着されていることを特徴とする装飾シートの施工構造を提供するものである。
【００１６】
請求項１０に係る発明は、請求項８記載の装飾シートの片面又は両面が、融着シートを介して透明板に融着されていることを特徴とする装飾シートの施工構造を提供するものである。
【発明の効果】
【００１７】
本発明の請求項１記載の発明によれば、透明シートと、前記透明シートの片面に、一部又は全面が所定の透明度を保持して装飾印刷された第１印刷層と、前記第１印刷層の表面に、選択された所定の透明度を保持しつつ選択された所定の色に着色印刷された着色層と、前記着色層の表面に一部又は全面が所定の透明度を保持して装飾印刷された第２印刷層とを備えた装飾シートを提供するので、着色層の色調や透明度を適宜調節設定して装飾効果を高めた装飾シートを提供することができる。
即ち、第１印刷層と第２印刷層の印刷を変えることなく、着色層の色調や透明度を変えることにより、同一の柄でありながら色調や、透明度の異なる装飾シートを得ることができる。又、それは印刷の作業工程の中で、作業時間の短縮にもなり、従来の多層印刷に比べ作業効率が一段とアップする。
更に、装飾シートをガラス板等の透明板に貼着した時、透明シートが透明板と同様の外観を呈し、装飾シート側と透明板面側から見た外観が近似することにより装飾効果を高めることができる。
更に又、透明シートの片面側の多層印刷によって装飾シートを製造することにより、製造のコストダウンが図れる。
そして、前記装飾シートは、貼着する透明板がガラス板等である場合、ガラス飛散防止効果も期待できる。
【００１８】
請求項２記載の発明によれば、前記第１印刷層と前記第２印刷層とは同一模様に印刷されているので、請求項１記載の発明の効果に加え、着色層が所定の透明度を有する場合でも第１印刷層と第２印刷層とを干渉させることなく視認させることができる。又、透明シートの両面側に印刷をする場合、透明シートを介して表面と裏面が同一柄と見えるように左右対称柄としなければならないが、本考案では片面側の多層印刷となるため、その必要がなく、同一柄を用いることができるので、両面に印刷する場合に比べ版数が１／２となり、更なる製造のコストダウンが図れる。
【００１９】
請求項３記載の発明によれば、選択された所定の透明度を保持しつつ選択された所定の色に着色された着色シートと、前記着色シートの片面に、一部又は全面が所定の透明度を保持して装飾印刷された第３印刷層と、前記着色シートの他面に一部又は全面が所定の透明度を保持して装飾印刷された第４印刷層と、前記第３印刷層に片面が貼着される透明シートとを備えた装飾シートを提供するので、着色シートの色調や透明度を適宜調節設定して装飾効果を高めた装飾シートを提供することができる。
即ち、第３印刷層と第４印刷層の印刷を変えることなく、着色シートの色調や透明度を変えることにより、同一の柄でありながら色調や、透明度の異なる装飾シートを得ることができる。
又、装飾シートをガラス板等の透明板に貼着した時、透明シートが透明板と同様の外観を呈し、装飾シート側と透明板面側から見た外観が近似することにより装飾効果を高めることができる。
更に、予め、片面又は両面印刷された着色シートを用いることにより、製造のコストダウンが図れる。
更に又、前記装飾シートは、貼着する透明板がガラス板等である場合、ガラス飛散防止効果も期待できる。
【００２０】
請求項４記載の発明によれば、前記第３印刷層と前記第４印刷層とは左右対称の模様に印刷されているので、請求項３記載の発明の効果に加え、着色シートが所定の透明度を有する場合でも第１印刷層と第２印刷層の印刷を干渉させることなく視認させることができる。
【００２１】
請求項５記載の発明によれば、前記透明シートの他面にハードコート層を備えるので、請求項１乃至４のうちいずれか一に記載の発明の効果に加え、ハードコート層によって、透明シートを保護できる。
【００２２】
請求項６記載の発明によれば、前記第１乃至４印刷層は木目調又は石目調に印刷されるので、請求項１乃至５のうちいずれか一に記載の発明の効果に加え、装飾シートを透明板等に貼着した時、装飾シート側又は透明板側の両面から、着色層又は着色シートの色調と重ね合わされた、或いは、着色シートの色調を背景として木目調又は石目調の印刷を透明板等或いは透明シートを通して視認させることができる。
【００２３】
請求項７記載の発明によれば、前記第２印刷層、又は、第４印刷層の表面に粘着層が設けられるので、請求項１乃至６のうちいずれか一に記載の発明の効果に加え、粘着層を介して装飾シートを透明板等に貼着することができる。
【００２４】
請求項８記載の発明によれば、前記第２又は第４印刷層上に透明保護膜をコーティングしたので、請求項１乃至６のうちいずれか一に記載の発明の効果に加え、本装飾シートを、２枚の透明板等によって、粘着層、他の接着層、及び／又は、融着シートを介して貼着し挟持すれば、合わせガラスの如き効果も期待できる。又、その場合に、装飾シートは両面が透明シートであるので、貼着により印刷層を傷つけないという利点がある。
【００２５】
請求項９記載の発明によれば、請求項１乃至７のいずれか一に記載の装飾シートの片面又は両面が前記粘着層、他の接着層、及び／又は、融着シートを介して透明板に貼着されている装飾シートの施工構造を提供するので、請求項１乃至７のいずれか一に記載の発明の効果を有する装飾シートの施工構造を得ることができると共に、工場等で装飾シートを透明板等に予め貼着することにより、現場施工に比べ、貼着面の仕上がりの綺麗な施工構造とすることが可能である。又、装飾シートの両面に、粘着層、他の接着層、及び／又は、融着シートを介して透明板が貼着されている装飾シートの施工構造の場合に於いては、装飾効果があり、且つ、断熱防音等に優れた合わせガラスの如き効果が期待できる。
【００２６】
請求項１０記載の発明によれば、請求項８記載の装飾シートの片面又は両面が、融着シートを介して透明板に融着されている装飾シートの施工構造を提供するので、請求項８記載の発明の効果を有する装飾シートの施工構造を得ることができると共に、工場等で装飾シートを透明板等に予め貼着することにより、融着面の仕上がりの綺麗な施工構造とすることが可能である。又、装飾シートの両面が、融着シートを介して透明板に融着されている装飾シートの施工構造の場合に於いては、装飾効果があり、且つ、断熱防音等に優れた合わせガラスの如き効果が期待できる。
【発明を実施するための最良の形態】
【００２７】
以下、実施例を示した図面を参照しつつ本発明の実施の形態を説明する。尚、説明の都合上、後に説明する実施例に於いて、先に説明した実施例と同一構成部分については同一符号を付してその説明を省略する。
図１に於いて、１は本発明の第１実施例の装飾シートを示し、装飾シート１は、透明シート２と、透明シート２の片面に、一部又は全面が所定の透明度を保持して装飾印刷された第１印刷層３と、第１印刷層３の表面に、選択された所定の透明度を保持しつつ選択された所定の色に着色印刷された着色層４と、着色層４の表面に一部又は全面が所定の透明度を保持して装飾印刷された第２印刷層５とを備えたものである。
【００２８】
前記透明シート２は、例えばポリエステルフィルムから成る合成樹脂シートである。
又、前記第１印刷層３と第２印刷層５は、一部又は全面が所定の透明度を保持して装飾印刷、例えば、木目調又は石目調の装飾が施された単色又は多色印刷層である。透明度は０％乃至１００％の範囲で設定される。木目調又は石目調の装飾が施される場合、前記第１印刷層３と第２印刷層５は同一模様に印刷され、夫々の印刷層側から見たとき、反対側の印刷層が着色層４を通して完全に重なって１つの印刷層に見えるように印刷されている。
又は、前記第１印刷層３と第２印刷層５とを同一とならない模様に印刷し、且つ、前記第１印刷層３と第２印刷層５の柄が干渉して見えないように着色層４の透明度を下げ、又は、透明度を０％とし、即ち、隠蔽度を高め、又は、完全に隠蔽してもよい。
尚、前記第１印刷層３と第２印刷層５とを同一とならない模様に印刷し、且つ、着色層４に透明性を持たせ、夫々の印刷層側から見たとき、互いに干渉して見えるようにすることで、特殊な装飾効果を得ることも可能である。
更に、前記第１印刷層３と第２印刷層５とにその他の装飾印刷、例えば、ステンドグラス調の装飾印刷を施すことも可能である。
【００２９】
前記着色層４は、所定の透明度を保持しつつ所定の色に着色印刷されたものであるが、透明度は０％乃至１００％の範囲で選択し設定されるものであり、又、着色も白及び黒を含む全カラー色の範囲で選択し設定できるものである。即ち、着色層４の透明性或いは隠蔽性と色調を適宜調節設定して、装飾シート１の外観の透明性或いは隠蔽性と色調をコントロールするものである。透明度０％に於いては、透明性は期待できなくなる。又、着色層４は単色に着色されてもよいが、複数色に着色されてもよく、デザインされて着色されてもよい。例えば、着色層４を色彩の異なる着色ガラス片を繋ぎ合わせたようなステンドグラス調に着色してもよい。
【００３０】
前記装飾シート１は、用途によってはそのままで用いることもできるが、主として、後述するように透明板（図示せず）に貼付して用いるものであり、前記第２印刷層５に図示しない透明の粘着層を設け、或いは、透明の接着剤を用いてガラスや、透明の合成樹脂板等に貼付して用いることができる。
【００３１】
図２に於いて、１１は、第２実施例の装飾シートを示し、装飾シート１１は、前記装飾シート（図１に於いて１）の第２印刷層５の表面に透明の粘着層１２を塗布又は貼付等により設けたものである。粘着層１２によって、装飾シート１１は透明板等に貼着することが可能である。尚、図示は省略するが、粘着層１２によって第２印刷層５が傷つく虞のある場合は、第２印刷層５上に透明保護膜をコーティングし（図１４に於いて装飾シート１３１参照）、その上に粘着層１２を設けても良い。
【００３２】
図３に於いて、２１は、第３実施例の装飾シートを示し、装飾シート２１は、前記装飾シート（図２に於いて１１）の粘着層１２の表面に離型紙２２を貼付したものである。前記装飾シート２１は離型紙２２によって、搬送等が可能な商品形態となる。
【００３３】
図４に於いて、３１は、前記装飾シート（図２に於いて１１）、又は、前記装飾シート（図３に於いて２１）から離型紙（図３に於いて２２）を剥離した装飾シート１１をガラスや、合成樹脂等の透明板３２に貼着した第４実施例の施工構造を示している。
この施工構造３１に於いて、透明板３２側から透明板３２を通して第２印刷層５が見えると共に、一部又は全面が所定の透明度を保持する第２印刷層５を通して着色層４が見える。従って、着色層４の色を重ね合わせて、或いは背景色として、第２印刷層５を視認できる。
尚、第１印刷層３と第２印刷層５とが左右対称の印刷である場合であって、前記着色層４が透明性を有している場合、第１印刷層３は第２印刷層５に重なって見えない状態となるが、透明板３２側から斜めに見た場合、着色層４の厚みによって、第２印刷層５と少しずれて第１印刷層３が見えることもある。その少しずれた状態に見えることによって、印刷層に遠近感を感じさせるなど、装飾効果を高めることができる。
そして、前記透明板３２及び前記装飾シート１１を通して、装飾シート１１の裏側の風景も視認できる。
【００３４】
一方、前記施工構造３１に於いて、透明シート２側から透明シート２を通して第１印刷層３が見えると共に、一部又は全面が所定の透明度を保持する第１印刷層３を通して着色層４が見える。従って、着色層４の色を重ね合わせて、或いは背景色として第１印刷層３を視認できる。
尚、第１印刷層３と第２印刷層５とが左右対称の印刷である場合であって、前記着色層４が透明性を有している場合、第２印刷層５は第１印刷層３に重なって見えない状態となるが、透明シート２側から斜めに見た場合、着色層４の厚みによって、第１印刷層３と少しずれて第２印刷層５が見えることもある。その少しずれた状態に見えることによって、印刷層に遠近感を感じさせるなど、装飾効果を高めることができる。
そして、前記装飾シート１１及び前記透明板３２を通して、透明板３２の裏側の風景も視認できる。
尚、着色層４の透明度を下げ、又は、透明度を０％とし、即ち、隠蔽度を高め、又は、完全に隠蔽すれば、着色層４の裏側の印刷層や、風景は見えにくくなり、或いは、見えなくなる。
又、透明シート２越しに第１印刷層３を見せることにより、前記透明板３２越しに第２印刷層５を見せるのと同様な効果が得られ、施工構造３１の両側面側から見た外観が近似し、更に、装飾効果を高めることができる。
【００３５】
図５に於いて、４１は、第５実施例の装飾シートを示し、装飾シート４１は、前記装飾シート（図３に於いて２１）の第１印刷層３と反対側の透明シート２表面にハードコート層４２を塗布又は積層等により備えたものである。ハードコート層４２の塗布又は積層等は、装飾シート４１を作成する前、予め透明シート２に施されても良く、装飾シート４１を作成する過程で施されても良い。
ハードコート層４２によって、透明シート２を保護することができる。
尚、図示は省略するが、前記装飾シート１又は１１にも同様にハードコート層４２を設けることができる。
【００３６】
図６に於いて、５１は、前記装飾シート（図５に於いて４１）から離型紙（図５に於いて２２）を剥離した装飾シート５２をガラスや、合成樹脂等の透明板３２に貼着した第６実施例の施工構造を示している。
この施工構造５１に於いて、ハードコート層４２によって、透明シート２が保護され、装飾シート５２の粘着層１２側が透明板３２で保護されるため、装飾シート５２は両面から保護されることになる。
又、ハードコート層４２の光沢面が前記透明板３２の光沢と近似する場合には、前記施工構造５１に於いて、両側面側から同様の光沢を有する外観が視認でき、更に装飾性を高めることができる。
【００３７】
図７に於いて、６１は、第７実施例の装飾シートを示し、装飾シート６１は、選択された所定の透明度を保持しつつ選択された所定の色に着色された着色シート６２と、着色シート６２の片面に、一部又は全面が所定の透明度を保持して装飾印刷された第３印刷層６３と、着色シートの他面に一部又は全面が所定の透明度を保持して装飾印刷された第４印刷層６４と、透明の接着層６５によって第３印刷層６３に片面が貼着される透明シート２とを備えたものである。尚、前記接着層６５に代えて粘着層（図示せず）としても良く、或いは前記第３印刷層６３に接着性のある印刷を施し第３印刷層６３を直接透明シート２に接着させても良い。
【００３８】
前記着色シート６２は、例えばポリエステルフィルムから成る合成樹脂シートの全体又は表面を着色したシートである。
又、前記着色シート６２は、所定の透明度を保持しつつ所定の色に着色印刷されたものであるが、透明度は０％から１００％の範囲で選択し設定できるものであり、又、着色も白及び黒を含む全カラー色の範囲で選択し設定できるものである。即ち、着色シート６２の透明性或いは隠蔽性と色調を適宜調節設定して、装飾シート６１の外観の透明性或いは隠蔽性と色調をコントロールするものである。透明度０％に於いては、透明性は期待できなくなる。又、着色シート６２は単色に着色されてもよいが、複数色に着色されてもよく、デザインされて着色されてもよい。例えば、着色シート６２を色彩の異なる着色ガラス片を繋ぎ合わせたようなステンドグラス調に着色してもよい。
【００３９】
又、前記第３印刷層６３と第４印刷層６４は、一部又は全面が所定の透明度を保持して装飾印刷、例えば、木目調又は石目調の装飾が施された単色又は多色印刷層である。透明度は０％乃至１００％の範囲で設定される。木目調又は石目調の装飾が施される場合、前記第３印刷層６３と第４印刷層６４は左右対称の模様に印刷され、夫々の印刷層側から見たとき、反対側の印刷層が着色シート６２を通して完全に重なって１つの印刷層に見えるように印刷されている。
又は、前記第３印刷層６３と第４印刷層６４とを左右対称とならない模様に印刷し、且つ、前記第３印刷層６３と第４印刷層６４の柄が干渉して見えないように着色シート６２の透明度を下げ、又は、透明度を０％とし、即ち、隠蔽度を高め、又は、完全に隠蔽しても良い。
尚、前記第３印刷層６３と第４印刷層６４とを左右対称とならない模様に印刷し、且つ、着色シート６２に透明性を持たせ、夫々の印刷層側から見たとき、互いに干渉して見えるようにすることで、特殊な装飾効果を得ることも可能である。
更に、前記第３印刷層６３と第４印刷層６４とにその他の装飾印刷、例えば、ステンドグラス調の装飾印刷を施すことも可能である。
【００４０】
前記装飾シート６１は、用途によってはそのままで用いることもできるが、主として、透明板（図示せず）に貼付して用いるものであり、前記第４印刷層６４に透明の粘着層を設け、或いは、透明の接着剤を用いてガラスや、透明の合成樹脂板に貼付して用いることができる。
【００４１】
図８に於いて、７１は、第８実施例の装飾シートを示し、装飾シート７１は、前記装飾シート（図７に於いて６１）の第４印刷層６４の表面に粘着層１２を塗布又は貼付等により設け、粘着層１２の表面に離型紙２２を貼付したものである。前記装飾シート７１は離型紙２２によって、搬送等が可能な商品形態となる。尚、図示は省略するが装飾シート７１から離型紙２２を除いた装飾シートも考えられる。又、図示は省略するが、粘着層１２によって第４印刷層６４が傷つく虞のある場合は、第４印刷層６４上に透明保護膜をコーティングし（図１６に於いて装飾シート１５１参照）、その上に粘着層１２を設けても良い。
【００４２】
図９に於いて、８１は、前記装飾シート（図８に於いて７１）から離型紙（図８に於いて２２）を剥離した装飾シート８２をガラスや、合成樹脂等の透明板３２に貼着した第９実施例の施工構造を示している。
この施工構造８１に於いて、透明板３２側から透明板３２を通して第４印刷層６４が見えると共に、一部又は全面が所定の透明度を保持する第４印刷層６４を通して着色シート６２が見える。従って、着色シート６２の色を重ね合わせて、或いは背景色として、第４印刷層６４を視認できる。
尚、第３印刷層６３と第４印刷層６４とが左右対称の印刷である場合であって、前記着色シート６２が透明性を有している場合、第３印刷層６３は第４印刷層６４に重なって見えない状態となるが、透明板３２側から斜めに見た場合、着色シート６２の厚みによって、第４印刷層６４と少しずれて第３印刷層６３が見えることもある。その少しずれた状態に見えることによって、印刷層に遠近感を感じさせるなど、装飾効果を高めることができる。
そして、前記透明板３２及び前記装飾シート８２を通して、装飾シート８２の裏側の風景も視認できる。
【００４３】
一方、前記施工構造８１に於いて、透明シート２側から透明シート２を通して第３印刷層６３が見えると共に、一部又は全面が所定の透明度を保持する第３印刷層６３を通して着色シート６２が見える。従って、着色シート６２の色を重ね合わせて、或いは背景色として第３印刷層６３を視認できる。
尚、第３印刷層６３と第４印刷層６４とが左右対称の印刷である場合であって、前記着色シート６２が透明性を有している場合、第４印刷層６４は第３印刷層６３に重なって見えない状態となるが、透明シート２側から斜めに見た場合、着色シート６２の厚みによって、第３印刷層６３と少しずれて第４印刷層６４が見えることもある。その少しずれた状態に見えることによって、印刷層に遠近感を感じさせるなど、装飾効果を高めることができる。
そして、前記装飾シート８２及び前記透明板３２を通して、透明板３２の裏側の風景も視認できる。
尚、着色シート６２の透明度を下げ、又は、透明度を０％とし、即ち、隠蔽度を高め、又は、完全に隠蔽すれば、着色シート６２の裏側の印刷層や、風景は見えにくくなり、或いは、見えなくなる。
又、透明シート２越しに第３印刷層６３を見せることにより、前記透明板３２越しに第４印刷層６４を見せるのと同様な効果が得られ、施工構造８１の両側面側から見た外観が近似し、更に、装飾効果を高めることができる。
【００４４】
図１０に於いて、９１は、第１０実施例の装飾シートを示し、装飾シート９１は、前記装飾シート（図８に於いて７１）の接着層６５と反対側の透明シート２の表面にハードコート層４２を塗布又は積層等により備えたものである。ハードコート層４２の塗布又は積層等は、装飾シート９１を作成する前、予め透明シート２に施されても良く、装飾シート９１を作成する過程で施されても良い。ハードコート層４２の効果については前述したとおりであるので、ここではその説明を省略する。
尚、図示は省略するが、前記装飾シート６１にも同様にハードコート層４２を設けることができる。
又、図示は省略するが、前記装飾シート９１から、離型紙２２を除いた装飾シート、又は、離型紙２２及び粘着層１２を除いた装飾シートも考えられる。
【００４５】
図１１に於いて、１０１は、前記装飾シート（図１０に於いて９１）から離型紙（図１０に於いて２２）を剥離した装飾シート１０２をガラスや、合成樹脂等の透明板３２に貼着した第１１実施例の施工構造を示している。
この施工構造１０１に於いても、前述した第６施工構造５１と略同様の効果が期待できる。
【００４６】
図１２に於いて、１１１は、前記施工構造（図４に於いて３１）の透明シート２側にも粘着層等の接着層１１２を介して透明板３２を接着した第１２実施例の施工構造を示している。この施工構造１１１に於いても、前記施工構造３１と略同様の効果が期待できると共に、両面が透明板３２，３２となるので、合わせガラスの如き効果も期待できる。
【００４７】
図１３に於いて、１２１は、前記施工構造（図９に於いて８１）の透明シート２側にも粘着層等の接着層１１２を介して透明板３２を接着した第１３実施例の施工構造を示している。この施工構造１２１に於いても、前記施工構造８１（図９参照）と略同様の効果が期待できると共に、両面が透明板３２，３２となるので、合わせガラスの如き効果も期待できる。
尚、施工構造１１１，１２１に於いて、前記透明板３２は、前記粘着層１２、接着層１１２に代えて、融着シート（図示せず）によって融着されても良い。
【００４８】
図１４に於いて、１３１は、前記装飾シート（図１に於いて１）の第２印刷層５上に透明保護膜１３２をコーティングした第１４実施例の装飾シートを示している。この装飾シート１３１に於いても、前記装飾シート１と略同様の効果が期待できると共に、次に説明する施工構造（図１５に於いて１４１）に用いることにより合わせガラスの如き効果が期待できる。尚、図示は省略するが、前記装飾シート１３１の透明シート２の表面にハードコート層４２がコーティングされていても良い。
【００４９】
図１５に於いて、１４１は、前記装飾シート（図１４に於いて１３１）の両面に熱融着シート等の融着シート１４２，１４２を介して透明板３２，３２を融着（易接補助加工等）した第１５実施例の施工構造を示している。この施工構造１４１に於いても、前記施工構造３１（図４参照）と略同様の効果が期待できると共に、装飾シート１３１の両面が透明板３２，３２となるので、合わせガラスの如き効果も期待できる。尚、図示は省略するが、前記装飾シート１３１の透明シート２の表面にハードコート層４２がコーティングされていても良い。
【００５０】
図１６に於いて、１５１は、前記装飾シート（図７に於いて６１）の第４印刷層６４上に透明保護膜１３２をコーティングした第１６実施例の装飾シートを示している。この装飾シート１５１に於いても、前記装飾シート６１（図７参照）と略同様の効果が期待できると共に、次に説明する施工構造（図１７に於いて１６１）に用いることにより合わせガラスの如き効果が期待できる。尚、図示は省略するが、前記装飾シート１５１の透明シート２の表面にハードコート層４２がコーティングされていても良い。
【００５１】
図１７に於いて、１６１は、前記装飾シート（図１６に於いて１５１）の両面に熱融着シート等の融着シート１４２，１４２を介して透明板３２，３２を融着（易接補助加工等）した第１７実施例の施工構造を示している。この施工構造１６１に於いても、前記施工構造８１（図９参照）と略同様の効果が期待できると共に、装飾シート１５１の両面が透明板３２，３２となるので、合わせガラスの如き効果も期待できる。尚、図示は省略するが、前記装飾シート１５１の透明シート２の表面にハードコート層４２がコーティングされていても良い。
尚、前記施工構造１４１、１６１に於いて、装飾シート１３１，１５１の両面に透明板３２，３２が夫々融着されたが、装飾シート１３１，１５１の一方の片面にハードコート層４２がコーティングされている場合は、他方の片面のみに透明板３２が夫々融着される施工構造としても良い。
【図面の簡単な説明】
【００５２】
【図１】本発明による第１実施例の装飾シートの断面図である。
【図２】本発明による第２実施例の装飾シートの断面図である。
【図３】本発明による第３実施例の装飾シートの断面図である。
【図４】本発明による第４実施例の装飾シートの施工構造の断面図である。
【図５】本発明による第５実施例の装飾シートの断面図である。
【図６】本発明による第６実施例の装飾シートの施工構造の断面図である。
【図７】本発明による第７実施例の装飾シートの断面図である。
【図８】本発明による第８実施例の装飾シートの断面図である。
【図９】本発明による第９実施例の装飾シートの施工構造の断面図である。
【図１０】本発明による第１０実施例の装飾シートの断面図である。
【図１１】本発明による第１１実施例の装飾シートの施工構造の断面図である。
【図１２】本発明による第１２実施例の装飾シートの施工構造の断面図である。
【図１３】本発明による第１３実施例の装飾シートの施工構造の断面図である。
【図１４】本発明による第１４実施例の装飾シートの断面図である。
【図１５】本発明による第１５実施例の装飾シートの施工構造の断面図である。
【図１６】本発明による第１６実施例の装飾シートの断面図である。
【図１７】本発明による第１７実施例の装飾シートの施工構造の断面図である。
【符号の説明】
【００５３】
１，１１，２１，４１，５２，６１，７１，９１，１０２  装飾シート
１３１，１５１  装飾シート
２  透明シート
３  第１印刷層
４  着色層
５  第２印刷層
１２  粘着層
３１，５１，８１，１０１，１１１，１２１，１４１，１６１  施工構造
３２  透明板
４２  ハードコート層
６２  着色シート
６３  第３印刷層
６４  第４印刷層
１１２  接着層
１３２  透明保護膜
【図１】
2008087153.tif 000003
【図２】
2008087153.tif 000004
【図３】
2008087153.tif 000005
【図４】
2008087153.tif 000006
【図５】
2008087153.tif 000007
【図６】
2008087153.tif 000008
【図７】
2008087153.tif 000009
【図８】
2008087153.tif 000010
【図９】
2008087153.tif 000011
【図１０】
2008087153.tif 000012
【図１１】
2008087153.tif 000013
【図１２】
2008087153.tif 000014
【図１３】
2008087153.tif 000015
【図１４】
2008087153.tif 000016
【図１５】
2008087153.tif 000017
【図１６】
2008087153.tif 000018
【図１７】
2008087153.tif 000019